(57)【要約】【課題】構成を複雑化することなく、容易に、装置の機能追加／変更／特性向上を実施する。【解決手段】アナログ電話加入者回路装置において、ＨＷ入力信号Ｓ９から通常入力データＳ１１ａ以外の調整用デー夕Ｓ１１ｂ及び制御信号Ｓ１１ｃ等の取り込みを識別するための入力選択回路１１と、その識別結果に基づき不揮発性メモリ６０に対してライト／リードする不揮発性メモリアクセス回路５０と、読み出したメモリデータＳ２０ｂを出力選択回路４１により選択してＨＷ出力信号Ｓ４１として上位装置側１へ出力する出力選択回路４１とを有するので、装置の機能追加／変更／特性向上を実施することができる。しかも、通常機能としてダウンロード機能がなくとも、通常の動作に影響を与えることなく、ダウンロードを行うことが可能である。その上、ダウンロードした内容も、上位装置側１から確認できる。【選択図】図１
2008271269.tif 000002
【特許請求の範囲】
【請求項１】
加入者線側と上位装置側との間に接続され、所定のプログラムに従い、前記加入者線側から伝えられる信号処理と、前記上位装置側から伝えられる信号処理とを行う信号処理回路と、
前記信号処理回路内に設けられ、前記プログラム、必要なデータ、及び係数値を含む情報が格納される第１のメモリと、
データ格納用の第２のメモリと、
前記上位装置側からの通常データ以外のデータを識別し、この識別結果に基づいて前記第２のメモリに対して書き込み、及び読み出しを行い、前記読み出したデータを前記上位装置側へ出力するメモリアクセス回路と、
を有することを特徴とする加入者回路装置。
【請求項２】
前記信号処理回路は、デジタル信号処理プロセッサにより構成されていることを特徴とする請求項１記載の加入者回路装置。
【請求項３】
前記第１のメモリは、随時読み書き可能なメモリであり、
前記第２のメモリは、不揮発性メモリであることを特徴とする請求項１記載の加入者回路装置。
【請求項４】
前記メモリアクセス回路は、
前記上位装置側からの通常データ以外のデータを識別してこの識別結果を出力する入力回路と、
前記識別結果に基づいて前記第２のメモリに対して書き込み、及び読み出しのアクセスを行うアクセス回路と、
前記第２のメモリから読み出したデータを前記上位装置側へ出力する出力回路と、
を有することを特徴とする請求項１〜３のいずれか１項に記載の加入者回路装置。
【請求項５】
請求項４記載の加入者回路装置には、更に、
前記加入者線側と前記信号処理回路との間に接続され、前記加入者線側からのアナログ信号をデジタル信号に変換して前記信号処理回路へ入力し、前記信号処理回路からのデジタル出力信号をアナログ出力信号に変換して前記加入者線側へ出力するアナログ及びアナログインタフェース回路を有することを特徴とするアナログ電話加入者回路装置。
【発明の詳細な説明】
【技術分野】
【０００１】
本発明は、加入者線側と電話交換機等の上位装置側との間における信号処理を行う加入者回路装置及びアナログ電話加入者回路装置に関し、特に、アナログ特性等に関連する各部品のばらつきで装置毎に各種特性が異なってくるので、装置製造後に係数値等を変更することで特性の向上を図るための調整技術に関するものである。
【背景技術】
【０００２】
従来、加入者回路装置に関する技術としては、例えば、次のような文献等に記載されている。
【０００３】
【特許文献１】特開２００１−２４５３３０号公報
【０００４】
この特許文献１に記載された加入者回路装置は、アナログ電話と総合デジタル通信網（以下「ＩＳＤＮ」という。）の両方の加入者線に対応して設けられ、プログラムに従って前記加入者線を通して伝えられる信号処理を行うデジタル信号処理プロセッサ（以下「ＤＳＰ」という。）と、前記ＤＳＰ内に設けられ、前記プログラム及び必要なデータが格納される随時読み書き可能なメモリ（以下「ＲＡＭ」という。）と、前記アナログ電話又はＩＳＤＮに対応してそれぞれに適合した第１と第２動作モードの指定を行う制御回路とを有している。
【０００５】
そして、前記制御回路により、前記第１動作モードでは、アナログ電話用の信号処理のためのプログラム、必要データ及び係数値を前記ＲＡＭに記憶させる。つまり、アナログ電話加入者回路装置として使用する場合は、ＤＳＰにより信号処理を行う。ＤＳＰは、一般的にプログラム、データ、及び係数値を、ＲＡＭを使用して保存／読み出しすることで信号処理を行い、装置の制御や各種特性確保のための信号処理を行う。
【０００６】
又、前記制御回路により、前記第２動作モードでは、ＩＳＤＮ用の信号処理のためのプログラム、必要データ及び係数値の記憶に加えて当該加入者回路装置と電話交換機等の上位装置との間でのデータ授受におけるエラスティックストアメモリとして、前記ＲＡＭを使用している。これにより、回路の簡素化を図りつつ、多機能化を実現している。
【発明の開示】
【発明が解決しようとする課題】
【０００７】
従来の加入者回路装置及びアナログ電話加入者回路装置において、例えば、装置メーカでは、一旦プログラムや係数値を決定し、アナログ電話加入者装置の製造を行うが、特にアナログ特性等に関連する各部品のばらつきで装置毎に各種特性が異なってくる。装置製造後に係数値等を変更するための調整を行うことで、特性の向上が可能であるが、そのためには装置に設けた不揮発性メモリ上のデータの書き換えが必要である。又、装置の不揮発性メモリの書き換えにより機能追加や変更も可能になるが、前記特許文献１には、不揮発性メモリの書き換えのための方法が記載されていない。しかし、一般的には、通信路を経由してダウンロードするか、あるいは、装置に直接書き換えができる信号入力端子（例えば、中央処理装置（以下「ＣＰＵ」という。）のシリアル通信端子等）を持つことが知られている。但し、このためにはダウンロード処理や書き換え時の制御のため、ＣＰＵを有するプロセッサを使用するのが一般的である。
【０００８】
しかしながら、このような構成の加入者回路装置及びアナログ電話加入者回路装置では、次の（Ａ）、（Ｂ）のような課題があった。
【０００９】
（Ａ）  課題１
プロセッサ等を用いることは回路の複雑化、及びコストアップにつながる。
【００１０】
（Ｂ）  課題２
通信路経由のダウンロードでは、通常のデータと区別するための制御が必要であるが、アナログ電話加入者回路装置にはダウンロード機能がないため、独自の制御機能が必要である。
【課題を解決するための手段】
【００１１】
本発明の加入者回路装置では、加入者線側と上位装置側との間に接続され、所定のプログラムに従い、前記加入者線側から伝えられる信号処理と、前記上位装置側から伝えられる信号処理とを行う信号処理回路と、前記信号処理回路内に設けられ、前記プログラム、必要なデータ、及び係数値を含む情報が格納される第１のメモリと、データ格納用の第２のメモリと、前記上位装置側からの通常データ以外のデータを識別し、この識別結果に基づいて前記第２のメモリに対して書き込み、及び読み出しを行い、前記読み出したデータを前記上位装置側へ出力するメモリアクセス回路とを有することを特徴とする。
【００１２】
本発明のアナログ電話加入者回路装置では、前記発明の加入者回路装置に対して、アナログ及びアナログインタフェース回路（以下「アナログＩ／Ｆ回路」という。）を設けている。前記アナログ及びアナログＩ／Ｆ回路は、前記加入者線側と前記信号処理回路との間に接続され、前記加入者線側からのアナログ信号をデジタル信号に変換して前記信号処理回路へ入力し、前記信号処理回路からのデジタル出力信号をアナログ出力信号に変換して前記加入者線側へ出力する回路である。
【発明の効果】
【００１３】
本発明の加入者回路装置及びアナログ電話加入者回路装置によれば、データ格納用の第２のメモリと、上位装置側からの通常データ以外のデータを識別し、この識別結果に基づいて前記第２のメモリに対して書き込み、及び読み出しを行い、前記読み出したデータを前記上位装置側へ出力するメモリアクセス回路とを有する調整手段を設けたので、装置の機能追加／変更／特性向上を実施することができる。そのため、通常機能としてダウンロード機能がなくとも、通常の動作に影響を与えることなく、ダウンロードを行うことが可能である。更に、ダウンロードした内容の確認も本発明の調整手段で実現できる。しかも、これらの処理を上位装置側から行うことができるため、装置検査等と連携して自動化が可能で、人手にかかる作業工数の削減が可能である。その上、第２のメモリには、信号処理回路でのデジタル信号処理中のデータが保存されることから、この内容を読み出すことで、単に測定データからの予測による係数値等の変更ではなく、実際の理想値からの演算結果のずれを確認し、特性調整にフィードバックできるため、調整回数や精度が向上する。又、直接書き換え用信号端子の必要性も無くなることから、信号端子数の増加を抑制できる。
【発明を実施するための最良の形態】
【００１４】
加入者回路装置は、加入者線側と上位装置側との間に接続され、所定のプログラムに従い、前記加入者線側から伝えられる信号処理と、前記上位装置側から伝えられる信号処理とを行う信号処理回路（例えば、ＤＳＰ）と、前記ＤＳＰ内に設けられ、前記プログラム、必要なデータ、及び係数値を含む情報が格納される第１のメモリ（例えば、ＲＡＭ）と、データ格納用の第２のメモリ（例えば、不揮発性メモリ）と、前記上位装置側からの通常データ以外のデータを識別し、この識別結果に基づいて前記不揮発性メモリに対して書き込み、及び読み出しを行い、前記読み出したデータを前記上位装置側へ出力するメモリアクセス回路とを有している。
【実施例１】
【００１５】
（実施例１の構成）
図１は、本発明の実施例１を示すアナログ電話加入者回路装置の概略の構成図である。
このアナログ電話加入者回路装置は、電話交換機等の上位装置側１と加入者線側２との間の信号処理を行う装置であり、上位装置側１からのハイウェイ（以下「ＨＷ」という。）入力信号Ｓ９が入力回路（例えば、ＨＷ入力回路）１０に入力される。ＨＷ入力回路１０は、入力選択回路１１を有している。入力選択回路１１は、ＨＷ入力信号Ｓ９が通常入力データＳ１１ａか、あるいは、第２のメモリ（例えば、不揮発性メモリ）書き込みデータ（ライトデータ、以下これを「調整用データ」という。）Ｓ１１ｂと制御信号Ｓ１１ｃかを識別して選択する回路である。入力選択回路１１から出力される通常入力データＳ１１ａは、信号処理回路（例えば、ＤＳＰ）２０へ与えられる。
【００１６】
ＤＳＰ２０は、通信用のプログラムを格納する第１のメモリ（例えば、ＲＡＭ）２１を有し、このＲＡＭ２１に格納されたプログラムに従い、上位装置側１から伝えられる信号処理と加入者線側２から伝えられる信号処理とを行う回路である。このＤＳＰ２０の入出力端子には、アナログ及びアナログＩ／Ｆ回路３０が接続され、他方の出力端子には、出力回路（例えば、ＨＷ出力回路）４０が接続されている。アナログ及びアナログＩ／Ｆ回路３０は、ＤＳＰ２０との間で信号の授受を行い、加入者線側２からのアナログ入力信号Ｓ２９を入力し、デジタル信号に変換してＤＳＰ２０へ与えると共に、ＤＳＰ２０からのデジタル信号をアナログ出力信号Ｓ３０に変換して加入者線側２へ出力する回路である。ＨＷ出力回路４０は、出力選択回路４１を有している。出力選択回路４１は、ＤＳＰ２０から出力される通常出力データＳ２０ａ又はメモリデータＳ２０ｂのいずれか一方を選択してＨＷ出力信号Ｓ４１を上位装置側１へ出力する回路である。
【００１７】
ＤＳＰ２０の入力端子には、不揮発性メモリアクセス回路５０の出力端子が接続され、この不揮発性メモリアクセス回路５０の入出力端子に、第２のメモリ（例えば、不揮発性メモリ）６０が接続されている。不揮発性メモリアクセス回路５０は、不揮発性メモリライト回路５１、及び、不揮発性メモリ読み出し回路（不揮発性メモリリード回路）５２を有している。不揮発性メモリライト回路５１は、入力選択回路１１から与えられる調整用データＳ１１ｂと制御信号Ｓ１１ｃを、不揮発性メモリ６０へ書き込むための回路である。不揮発性メモリリード回路５２は、ＲＡＭライトデータＳ５２ａをＲＡＭ２１へ書き込むか、あるいは、不揮発性メモリ６０内のデータを読み出して不揮発性メモリリードデータＳ５２ｂをＲＡＭ２１へ書き込むための回路である。
【００１８】
本実施例１では、例えば、上位装置側１からの通常データ以外のデータを識別する入力選択回路１１と、識別された結果に基づいて不揮発性メモリ６０に対して書き込み、及び読み出しを行う不揮発性メモリアクセス回路５０と、前記読み出したデータを上位装置側１へ出力する出力選択回路４１と、からなるメモリアクセス回路を有する調整手段が構成されている。
【００１９】
（実施例１の動作）
例えば、上位装置側１のＨＷ入力信号Ｓ９から加入者線側２へのアナログ出力信号Ｓ３０の流れは、次のようになる。
【００２０】
上位装置側１からのＨＷ入力信号Ｓ９は、ＨＷ入力回路１０内の入力選択回路１１にて、通常入力データＳ１１ａか、あるいは、不揮発性メモリライトデータＳ１１ｂと制御信号Ｓ１１ｃかが識別されて選択される。選択された通常入力データＳ１１ａは、ＤＳＰ２０へ与えられ、選択された不揮発性メモリライトデータＳ１１ｂと制御信号Ｓ２２ｃは、不揮発性メモリアクセス回路５０内の不揮発性メモリライト回路５１、不揮発メモリ６、不揮発性メモリリード回路５２、及びＲＡＭ２１を経由してメモリデータＳ２０ｂが出力され、ＨＷ出力回路４０内の出力選択回路４１によりＨＷ出力信号Ｓ４１が選択され、上位装置側１へ出力される。
【００２１】
通常入力データＳ１１ａは、ＲＡＭ２１、アナログ及びアナログＩ／Ｆ回路３０と順次経由して加入者線側２へアナログ出力信号Ｓ３０として出力される。入力選択回路１１で選択された不揮発性メモリライトデータＳ１１ｂは、不揮発性メモリライト回路５１へ入力され、不揮発性メモリ用の制御信号Ｓ１１ｃは、不揮発性メモリライト回路５１と不揮発性メモリリード回路５２に与えられる。
【００２２】
又、加入者線側２のアナログ入力信号Ｓ２９から上位装置側１のＨＷ出力信号Ｓ４１への信号の流れは、次のようになる。
【００２３】
加入者線側２からのアナログ入力信号Ｓ２９は、アナログ及びアナログＩ／Ｆ回路３０、ＤＳＰ２０及びその内部のＲＡＭ２１、ＨＷ出力回路４０内の出力選択回路４１へと順次経由して上位装置側１へＨＷ出力信号Ｓ４１として出力される。不揮発性メモリリード回路５２のＲＡＭライトデータＳ５２は、ＲＡＭ２１に書き込まれる。不揮発性メモリリード回路５２により読み出された不揮発性メモリリードデータＳ５２ｂは、ＲＡＭ２１に書き込まれ、ＨＷ出力回路４０内の出力選択回路４１で選択され、ＨＷ出力信号Ｓ４１として上位装置側１へ出力される。
【００２４】
次に、アナログ電話加入者回路装置の動作を説明する。
先ず、上位装置側１からのＨＷ入力信号Ｓ９は、ＨＷ入力回路１０に入力され、この内部の入力選択回路１１で通常入力データＳ１１ａ／調整用データＳ１１ｂ及び制御信号Ｓ１１ｃの選択が行われる。調整用として調整用データＳ１１ｂ及び制御信号Ｓ１１ｃを使用するためには、通常の動作を行っていないことを入力選択回路１１が判断し、取り込み動作を行う。
【００２５】
図２は、図１の取り込み動作のフローを示す図である。
この図２のフローにおいて、通常同期パターン有りの場合は、通常データとしてＨＷ入力信号Ｓ９を取込む（ステップＰ１）。通常同期パターン無しで調整用同期パターン確立までは、通常の同期パターンはずれ動作のみとなるが（ステップＰ５）、調整用同期パターンが確立すると調整用データＳ１１ｂ及び制御信号Ｓ１１ｃが入力されるのを待つ。なお、この時、その他の動作は通常の同期パターンはずれ動作である。
【００２６】
調整用データＳ１１ｂ及び制御信号Ｓ１１ｃが入力されると、その内容に応じて動作を行う（ステップＰ２，Ｐ３）。調整同期パターンと通常の同期パターンは常に監視され、調整同期パターンが不成立になったり、通常の同期パターンが確立すると、調整用データＳ１１ｂ及び制御信号Ｓ１１ｃの取り込みは中止される（ステップＰ５）。
【００２７】
調整同期パターンとしては、特定あるいは複数パターンの連続一致、周期パターンの繰り返し等を組合せることで誤って認識することを避けることができる。
【００２８】
調整用データＳ１１ｂ及び制御信号Ｓ１１ｃを取り込んだ内容が不揮発性メモリ６０ヘのデータライトの場合、不揮発性メモリ６０のアドレス／ライトデータを受信後、あるいは、すでに受信している内容で不揮発性メモリ６０への書き込みを行う。書き込まれたデータは、装置起動時にＤＳＰ２０内のＲＡＭ２１に書き込まれることで、機能追加／変更／特性向上を行う。
【００２９】
不揮発性メモリ６０やＲＡＭ２１に保存しているデータは、調整用データＳ１１ｂ及び制御信号Ｓ１１ｃの取り込みにおける読み出し指示で、ＨＷ出力回路４０内の出力選択回路４１を経由してＨＷ出力信号Ｓ４１として確認することができる。
【００３０】
調整用データＳ１１ｂ及び制御信号Ｓ１１ｃの取り込みにおける読み出し指示により、ＤＳＰ２０からメモリデータＳ２０ｂをＨＷ出力する場合、その指示をデコードして認識している入力選択回路１１より出力選択回路４１へ選択信号Ｓ１１ｄを与え、出力選択回路４１から出力されるＨＷ出力信号Ｓ４１を、通常出力データＳ２０ａからメモリデータＳ２０ｂへ切り換える。このようにして調整処理が行われる（ステップＰ４）。
【００３１】
（実施例１の効果）
本実施例１によれば、次の（ａ）〜（ｄ）のような効果がある。
（ａ）  アナログ電話加入者回路装置において、ＨＷ入力信号Ｓ９から通常入力データＳ１１ａ以外の調整デー夕Ｓ１１ｂ及び制御信号Ｓ１１ｃ等の取り込みを識別するための入力選択回路１１と、その識別結果に基づき不揮発性メモリ６０に対して書き込み／読み出しを行う不揮発性メモリアクセス回路５０と、読み出したメモリデータＳ２０ｂを出力選択回路４１により選択してＨＷ出力信号Ｓ４１として上位装置側１へ出力する出力選択回路４１とを有するので、装置の機能追加／変更／特性向上を実施することができる。
【００３２】
（ｂ）  通常機能としてダウンロード機能がなくとも、通常の動作に影響を与えることなく、ダウンロードを行うことが可能である。又、ダウンロードした内容の確認も、本実施例の調整手段で実現できる。
【００３３】
（ｃ）  前記（ｂ）の処理を上位装置側１から行うことができるため、装置検査等と連携して自動化が可能で、人手にかかる作業工数の削減が可能である。
【００３４】
（ｄ）  ＲＡＭ２１にはＤＳＰ２０でのデジタル信号処理中のデータが保存されることから、この内容を読み出すことで、単に測定データからの予測による係数値等の変更ではなく、実際の理想値からの演算結果のずれを確認し、特性調整にフィードバックできるため、調整回数や精度が向上する。
【００３５】
（変形例）
なお、本発明は実施例１に限定されず、種々の利用形態や変形が可能である。この利用形態や変形例としては、例えば、次の（１）〜（５）のようなものがある。
【００３６】
（１）  実施例１では、アナログ電話加入者回路装置における調整手段について説明したが、図１の構成全体や構成要素を図示以外のものに変更しても良い。
【００３７】
（２）  前記特許文献１に記載されているように、ＩＳＤＮにも適応できるように、アナログ電話又はＩＳＤＮに対応してそれぞれに適合した第１と第２動作モードの指定を行う図示しない制御回路を設ける。そして、前記制御回路により、前記第１動作モードでは、アナログ電話用の信号処理のためのプログラム、必要データ及び係数値をＲＡＭ２１に記憶させる。つまり、アナログ電話加入者回路装置として使用する場合は、ＤＳＰ２０により信号処理を行う。ＤＳＰ２０は、一般的にプログラム、データ、及び係数値を、ＲＡＭ２１を使用して保存／読み出しすることで信号処理を行い、装置の制御や各種特性確保のための信号処理を行う。又、前記制御回路により、前記第２動作モードでは、ＩＳＤＮ用の信号処理のためのプログラム、必要データ及び係数値の記憶に加えて当該加入者回路装置と上位装置側１との間でのデータ授受におけるエラスティックストアメモリとして、ＲＡＭ２１を使用する構成にしても良い。これにより、アナログ電話に対応した機能、及びＩＳＤＮに対応した機能の双方に適合可能な共用形加入者回路装置に対しても、実施例１とほぼ同様の作用効果を奏することができる。
【００３８】
（３）  実施例１では、調整用データＳ１１ｂ及び制御信号Ｓ１１ｃを取り込むための調整同期方法としてＨＷ入力信号Ｓ９が通常動作していないパターンの入力で判断していたが、例えば、装置を接続するバックボードに通常以外で使用できる端子を割り当てることができる場合は、その追加端子を用いて調整用データＳ１１ｂ及び制御信号Ｓ１１ｃの取り込みを判断することができる。このような構成にすれば、判断のためのパターン認識等が不要になるので、回路規模の削減が可能となる。
【００３９】
（４）  前記（３）の追加端子と、実施例１での通常動作していない状態の組み合わせとにより、より安全に判断することも可能である。
【００４０】
（５）  例えば、装置の製造数が多くない場合は、装置内に図示しない切替スイッチを搭載し、前記追加端子と同じ働きをさせることで、同様の内容を実現できる。
【図面の簡単な説明】
【００４１】
【図１】本発明の実施例１を示すアナログ電話加入者回路装置の概略の構成図である。
【図２】図１の取り込み動作のフローを示す図である。
【符号の説明】
【００４２】
１０      ＨＷ入力回路
１１      入力選択回路
２０      ＤＳＰ
２１      ＲＡＭ
３０      アナログ及びアナログＩ／Ｆ回路
４０      ＨＷ出力回路
４１      出力選択回路
５０      不揮発性メモリアクセス回路
５１      不揮発性メモリライト回路
５２      不揮発性メモリリード回路
６０      不揮発性メモリ
【図１】
2008271269.tif 000003
【図２】
2008271269.tif 000004